(57)【要約】【課題】内側の第１のベースに植毛された毛髪が外側の第２のベースを貫通するかつらにおいて、毛髪の損傷を防ぐ。【解決手段】かつら１０は、第１のベース１１と、第１のベース１１の外側に配置された第２のベース１２と、第１のベース１１に植毛され、第２のベース１２を貫通して第２のベース１２の外側に引き抜かれた複数の毛髪１３と、を備え、第１のベース１１と第２のベース１２とは、複数の毛髪１３が植毛された引抜植毛領域において互いに固定されている。【選択図】図２
2014122440.tif 000002
【特許請求の範囲】
【請求項１】
第１のベースと、
前記第１のベースの外側に配置された第２のベースと、
前記第１のベースに植毛され、前記第２のベースを貫通して前記第２のベースの外側に引き抜かれた複数の毛髪と、を備え、
前記第１のベースと前記第２のベースとは、前記複数の毛髪が植毛された引抜植毛領域において互いに固定されている、
ことを特徴とするかつら。
【請求項２】
前記第１のベースと前記第２のベースとは、縫い付けられて互いに固定されていることを特徴とする請求項１記載のかつら。
【請求項３】
前記第２のベースの外側に延びる固定用毛髪を更に備え、
前記固定用毛髪は、前記第１のベースと前記第２のベースとを縫い付けにより固定する、
ことを特徴とする請求項２記載のかつら。
【請求項４】
前記第１のベースと前記第２のベースとは、接着により互いに固定されていることを特徴とする請求項１から請求項３のいずれか１項記載のかつら。
【請求項５】
前記第１のベースと前記第２のベースとは、溶着により互いに固定されていることを特徴とする請求項１から請求項４のいずれか１項記載のかつら。
【請求項６】
前記第１のベース及び前記第２のベースは、前記引抜植毛領域のうち、前記複数の毛髪により形成される分け目中央部分において、固定されていない又は他の前記引抜植毛領域よりも固定される密度が低いことを特徴とする請求項１から請求項５のいずれか１項記載のかつら。
【請求項７】
前記第１のベース及び前記第２のベースは、前記引抜植毛領域のうち、前記複数の毛髪により形成されるつむじ中央部分において、固定されていない又は他の前記引抜植毛領域よりも固定される密度が低いことを特徴とする請求項１から請求項６のいずれか１項記載のかつら。
【発明の詳細な説明】
【技術分野】
【０００１】
本発明は、内側の第１のベースと外側の第２のベースとを備えるかつらに関する。
【背景技術】
【０００２】
従来、かつらベースを内側の第１のベースと外側の第２のベースとの２重構造にし、第１のベースに毛髪を植毛し、第２のベースを通して外側に引き抜く手法が知られている（例えば、特許文献１及び２参照）。
【０００３】
特許文献１記載のかつらの製造方法では、内側の第１のベースに対し、この第１のベースの内側に毛髪が位置するように毛髪を植毛し、この毛髪を、第１のベース及び外側の第２のベースを通して第２のベースの外側に引き抜く手法がとられている。
【０００４】
特許文献２記載のかつらの製造方法では、内側の第１のベースに対し、この第１のベースの外側に毛髪が位置するように毛髪を植毛し、この毛髪を、外側の第２のベースのみを通して第２のベースの外側に引き抜く手法がとられている。
【先行技術文献】
【特許文献】
【０００５】
【特許文献１】特開２００６−１８３２１５号公報
【特許文献２】特開２００６−１３２０７２号公報
【発明の概要】
【発明が解決しようとする課題】
【０００６】
図９及び図１０は、上記特許文献１及び２に記載されるように製造される参考技術に係るかつらの構造を示す断面図である。
【０００７】
図９に示すように、毛髪１３は、内側の第１のベース１１に対し例えば結着（結び目１３ａ）により植毛され、外側の第２のベース１２を貫通して第２のベース１２の外側に引き抜かれる。
【０００８】
第１のベース１１と第２のベース１２とが周縁において固定されていても、第１のベース１１における結び目１３ａと、この結び目１３ａを有する毛髪１３の第２のベース１２における引き抜き位置（貫通位置）とは、特に、第１のベース１１及び第２のベース１２が二重になっている領域の中央において、わずかながら図９の横方向などに相対的に移動する。そのため、毛髪１３には、第２のベース１２における引き抜き位置で摩擦などによって負担がかかり、図１０に示すように擦れて切れてしまう（図１０の損傷部分）。
【０００９】
なお、別の観点では、第１のベース１１及び第２のベース１２にシワが生じやすく、かつらの見た目が不自然なものになったり、かつらの装着感が悪くなったりする。
【００１０】
１つの観点では、本発明の目的は、内側の第１のベースに植毛された毛髪が外側の第２のベースを貫通するかつらにおいて、毛髪の損傷を防ぐことである。
【課題を解決するための手段】
【００１１】
本発明のかつらは、第１のベースと、上記第１のベースの外側に配置された第２のベースと、上記第１のベースに植毛され、上記第２のベースを貫通して上記第２のベースの外側に引き抜かれた複数の毛髪と、を備え、上記第１のベースと上記第２のベースとは、上記複数の毛髪が植毛された引抜植毛領域において互いに固定されている。
【００１２】
また、上記かつらにおいて、上記第１のベースと上記第２のベースとは、縫い付けられて互いに固定されているとよい。
【００１３】
また、上記かつらにおいて、上記第２のベースの外側に延びる固定用毛髪を更に備え、この固定用毛髪は、上記第１のベースと上記第２のベースとを縫い付けにより固定するとよい。
【００１４】
また、上記かつらにおいて、上記第１のベースと上記第２のベースとは、接着により互いに固定されているとよい。
【００１５】
また、上記かつらにおいて、上記第１のベースと上記第２のベースとは、溶着により互いに固定されているとよい。
【００１６】
また、上記かつらにおいて、上記第１のベース及び上記第２のベースは、上記引抜植毛領域のうち、上記複数の毛髪により形成される分け目中央部分において、固定されていない又は他の上記引抜植毛領域よりも固定される密度が低いとよい。
【００１７】
また、上記かつらにおいて、上記第１のベース及び上記第２のベースは、上記引抜植毛領域のうち、上記複数の毛髪により形成されるつむじ中央部分において、固定されていない又は他の上記引抜植毛領域よりも固定される密度が低いとよい。
【発明の効果】
【００１８】
本発明によれば、内側の第１のベースに植毛された毛髪が外側の第２のベースを貫通するかつらにおいて、毛髪の損傷を防ぐことができる。
【図面の簡単な説明】
【００１９】
【図１】本発明の一実施の形態に係るかつらを示す斜視図である。
【図２】本発明の一実施の形態に係るかつらの第１の固定構造を示す断面図である。
【図３】本発明の一実施の形態に係るかつらの第２の固定構造を示す断面図である。
【図４Ａ】本発明の一実施の形態に係るかつらの第３の固定構造の固定方法を示す断面図（その１）である。
【図４Ｂ】本発明の一実施の形態に係るかつらの第３の固定構造の固定方法を示す断面図（その２）である。
【図４Ｃ】本発明の一実施の形態に係るかつらの第３の固定構造の固定方法を示す断面図（その３）である。
【図５】本発明の一実施の形態に係るかつらの第４の固定構造を示す断面図である。
【図６】本発明の一実施の形態に係るかつらの第４の固定構造の固定方法を示す斜視図（その１）である。
【図７】本発明の一実施の形態に係るかつらの第４の固定構造の固定方法を示す斜視図（その２）である。
【図８】本発明の一実施の形態に係る第１のベースと第２のベースとの関係を示す断面図である。
【図９】参考技術に係るかつらの構造を示す断面図（その１）である。
【図１０】参考技術に係るかつらの構造を示す断面図（その２）である。
【発明を実施するための形態】
【００２０】
以下、本発明の実施の形態に係るかつらについて、図面を参照しながら説明する。
【００２１】
図１は、本発明の一実施の形態に係るかつら１０を示す斜視図である。
【００２２】
図２は、本発明の一実施の形態に係るかつらの第１の固定構造を示す断面図である。
【００２３】
図１に示すかつら１０は、第１のベース１１と、第２のベース１２と、複数の毛髪１３と、を備える。かつら１０は、頭部の一部に配置される部分かつらであるが、人の頭部の全体に配置される全体かつら（全頭かつら）であってもよい。
【００２４】
第１のベース１１は、例えばネットベースであり、かつら１０の全体に配置される。第１のベース１１は、かつら１０の一部に配置されるようにして、かつら１０の全体に配置される第２のベース１２又は他のベースに固定されるようにしてもよい。また、第１のベース１１は、ネット状ではない人工皮膚ベースであってもよい。
【００２５】
第２のベース１２は、例えばネットベースであり、第１のベース１１の外側（すなわち、かつら１０の外側）に配置されている。第２のベース１２は、例えば、分け目中央部分Ｐ１及びつむじ中央部分Ｐ２を含むかつら１０の一部に配置される。第２のベース１２は、かつら１０の全体に配置されていてもよい。また、第２のベース１２も、ネット状ではない人工皮膚ベースであってもよい。
【００２６】
第２のベース１２は、第１のベース１１よりも外側に配置されるため、第１のベース１１及び第２のベース１２の両方がネットベースである場合、第２のベース１２の網目が目立たないように、第１のベース１１の網目よりも小さくすることが望ましい。
【００２７】
本実施の形態では、かつら１０は、第１のベース１１及び第２のベース１２の計２つのベースを備えるが、更に別のベースを、第１のベース１１の内側や、第２のベース１２の外側や、第１のベース１１と第２のベース１２との間などに配置してもよい。
【００２８】
複数の毛髪１３は、図２に示すように、結び目１３ａにおいて第１のベース１１に植毛され、第２のベース１２を貫通して第２のベース１２の外側に引き抜かれる。図示はしないが、毛髪１３は、第２のベース１２が配置されていない部分においても第１のベース１１に植毛される。毛髪１３は、例えば、人工毛や人毛である。
【００２９】
毛髪１３の植毛方法としては、第１のベース１１に対し、この第１のベース１１の外側（図２の上側）に毛髪１３が位置するように毛髪１３を植毛し、この毛髪１３を、第２のベース１２を通して第２のベース１２の外側に引き抜く手法が挙げられる。
【００３０】
図８に示すように、第２のベース１２は、例えば縫い付け糸で形成される周縁固定部１８により第１のベース１１に固定されている。また、図２に示すように、第１のベース１１と第２のベース１２とは、縫い付け糸１４により縫い付けられて互いに固定されている。縫い付けの手段は特に限定されないが、例えば毛髪で第１のベース１１と第２のベース１２とを縫い付けてもよい。その場合、後述する図３の固定用毛髪１５のように、第２のベース１２の外側に延びるように毛髪を配置するとよい。なお、第１のベース１１と第２のベース１２とは、縫い付け糸１４により縫い付けられて互いに固定されるため、周縁固定部１８を省略することが可能である。
【００３１】
図２では、１本の毛髪１３を取り囲むように２箇所の固定位置を設けているが、縫い付け糸１４の固定密度は毛髪１３の植毛密度と同程度にする必要はなく、必要に応じて線状又は点状の１箇所又は数箇所であってもよい。
【００３２】
縫い付け糸１４による固定位置は、図８に示す引抜植毛領域Ａ内の部分である。縫い付け糸１４は、ミシンで縫い付けられてもよいし、或いは、手縫いで縫い付けられてもよい。なお、図２では、縫い付け糸１４による固定位置において第２のベース１２が大きく湾曲するように図示されているが、これは結び目１３ａを図示するなどの便宜上湾曲を大きく図示したものである。このように便宜上湾曲を大きく図示したのは、後述する図３及び図５についても同様である。
【００３３】
本実施の形態では、図８に示すように、第２のベース１２がかつら１０の一部に配置されるため、引抜植毛領域Ａもかつら１０の一部分（第２のベース１２よりも少し小さい領域）にすぎない。そのため、第１のベース１１と第２のベース１２との乖離動作は生じにくいが、引抜植毛領域Ａの縁部分から中央部分に近づくほど上記の乖離動作は生じる。
【００３４】
したがって、縫い付け糸１４による第１のベース１１と第２のベース１２との固定は、引抜植毛領域Ａの中央部分で固定するほど高い効果が得られる。そのため、図１に示すかつら１０の分け目中央部分Ｐ１やつむじ中央部分Ｐ２において固定することが、第１のベース１１と第２のベース１２との乖離動作を防ぐ観点では望ましい。
【００３５】
しかしながら、分け目中央部分Ｐ１（例えば幅１〜２ｃｍ）及びつむじ中央部分Ｐ２（例えば直径１〜２ｃｍ）は、第２のかつらベース１２のうち外側に露出しやすい部分であり、固定しないようにするか、又は他の引抜植毛領域Ａよりも固定される密度（縫い付けの場合は縫い付け箇所の密度）が低くなるようにするとよい。
【００３６】
第２のベース１２が図１に示すように分け目中央部分Ｐ１及びつむじ中央部分Ｐ２に亘って位置する場合（例えば幅５〜６ｃｍ）、幅方向に、周縁固定部１８から１．０〜１．５ｃｍ程度離れた、分け目中央部分Ｐ１を挟んだ左右両側で、ミシンなどで縫い付け糸１４を前後方向に縫い付けるだけでも十分な効果が得られる。
【００３７】
なお、第１のベース１１及び第２のベース１２がかつら１０の全体に配置される場合でも、中央部分で固定するほど高い効果が得られるが、同様に、分け目中央部分Ｐ１及びつむじ中央部分Ｐ２は、固定しないようにするか、又は他の引抜植毛領域Ａよりも固定される密度が低くなるようにするとよい。
【００３８】
図３は、本発明の一実施の形態に係るかつらの第２の固定構造を示す断面図である。
【００３９】
図３に示すように、第１のベース１１と第２のベース１２との固定は、例えば、固定用毛髪１５により行ってもよい。
【００４０】
固定用毛髪１５は、第１のベース１１と第２のベース１２とを縫い付け（結着）により互いに固定し、且つ、第２のベース１２の外側に延びる。固定用毛髪１５の結着は、公知の手法で行えばよい。
【００４１】
固定用毛髪１５の固定位置については、上述の図２に示す縫い付け糸１４と同様である。但し、固定用毛髪１５の固定は植毛を兼ねることができるため、固定用毛髪１５を多量（例えば、毛髪１３の本数と同程度）に植毛するようにしてもよい。
【００４２】
図４Ａ〜図４Ｃは、本発明の一実施の形態に係るかつらの第３の固定構造の固定方法を示す断面図である。
【００４３】
第１のベース１１と第２のベース１２とは、図４Ａに示す接着部１６の接着により互いに固定されていてもよい。接着部１６の固定位置については、図２に示す縫い付け糸１４に関して述べたのと同様とすることができる。
【００４４】
接着部１６を用いる場合には、まず、図４Ａに示すように第１のベース１１の外側の面に接着部１６を構成する接着剤を塗布するか、或いは、第２のベース１２の内側の面に接着剤を塗布する。
【００４５】
次に、図４Ｂに示すように、第１のベース１１に対して毛髪１３を植毛する。
【００４６】
そして、図４Ｃに示すように、毛髪１３を第２のベース１２に貫通させて第２のベース１２の外側に引き抜き、その後、接着剤で第１のベース１１と第２のベース１２とを固定する。接着剤で第１のベース１１と第２のベース１２とを固定する際には、第１のベース１１と第２のベース１２とをそのまま貼り付けてもよいが、図４Ｃに示すように加熱により接着剤（例えば、熱溶融型接着剤）を溶融させて接着して接着部１６を形成するとよい。
【００４７】
図５は、本発明の一実施の形態に係るかつらの第４の固定構造を示す断面図である。
【００４８】
図６及び図７は、本発明の一実施の形態に係るかつらの第４の固定構造の固定方法を示す斜視図である。
【００４９】
図５に示すように、第１のベース１１と第２のベース１２との固定は、例えば、溶着部１７における溶着により行ってもよい。溶着部１７の固定位置については、図２に示す縫い付け糸１４に関して述べたのと同様とすることができる。
【００５０】
溶着部１７は、例えば、第１のベース１１や第２のベース１２を超音波により或いは加熱により溶着（融着を含む）させることで形成される。
【００５１】
溶着部１７を形成するには、例えば、図６に示すようにホチキス型超音波溶着機１００を用いて、第１のベース１１及び第２のベース１２を挟み込んで、これらを溶着するか、或いは、図７に示すようにコテ型超音波溶着機２００を用いて、第１のベース１１の内側から又は第２のベース１２の外側から第１のベース１１及び第２のベース１２の少なくとも一方を溶かすとよい。
【００５２】
なお、上述の説明では、縫い付け糸１４、固定用毛髪１５、接着部１６、及び溶着部１７について、これらのうち１種類を用いて第１のベース１１と第２のベース１２とを固定する例について説明したが、２種類以上を用いて第１のベース１１と第２のベース１２とを固定するようにしてもよい。
【００５３】
以上説明した本実施の形態では、複数の毛髪１３は、第１のベース１１に植毛され、この第１のベース１１の外側に配置された第２のベース１２を貫通して第２のベース１２の外側に引き抜かれる。また、第１のベース１１と第２のベース１２とは、複数の毛髪１３が植毛された引抜植毛領域Ａにおいて互いに固定されている。
【００５４】
そのため、第１のベース１１における結び目１３ａと、この結び目１３ａを有する毛髪１３の第２のベース１２における引き抜き位置（貫通位置）とが相対的に移動して、第２のベース１２の引き抜き位置で摩擦などによって毛髪１３に負担がかかり、毛髪１３が擦れて切れてしまうのを抑えることができる。
【００５５】
よって、本実施の形態によれば、内側の第１のベース１１に植毛された毛髪１３が外側の第２のベース１２を貫通するかつら１０において、毛髪１３の損傷を防ぐことができる。
【００５６】
更には、第１のベース１１及び第２のベース１２にシワが生じるのを抑えることで、かつら１０の見た目を自然なものにし且つかつら１０の装着感を向上させることができる。
【００５７】
また、本実施の形態では、第１のベース１１と第２のベース１２とは、縫い付け糸１４により縫い付けられて互いに固定されている。そのため、毛髪１３の損傷を確実に防ぐことができる。
【００５８】
また、本実施の形態では、固定用毛髪１５は、第１のベース１１と第２のベース１２とを縫い付けにより固定し、且つ、第２のベース１２の外側に延びる。そのため、毛髪１３の損傷を確実に防ぎながら、固定用毛髪１５により固定と植毛とを兼ねることもできる。
【００５９】
また、本実施の形態では、第１のベース１１と第２のベース１２とは、接着部１６により接着されて互いに固定されている。そのため、毛髪１３の損傷を確実に防ぐことができる。
【００６０】
また、本実施の形態では、第１のベース１１と第２のベース１２とは、溶着部１７により溶着されて互いに固定されている。そのため、毛髪１３の損傷を確実に防ぐことができる。
【００６１】
また、本実施の形態では、第１のベース１１及び第２のベース１２は、引抜植毛領域Ａのうち、複数の毛髪１３により形成される分け目中央部分Ｐ１において、固定されていない又は他の引抜植毛領域Ａよりも固定される密度が低い。そのため、かつら１０の見た目をより自然なものにすることができる。
【００６２】
また、本実施の形態では、第１のベース１１及び第２のベース１２は、引抜植毛領域Ａのうち、複数の毛髪１３により形成されるつむじ中央部分Ｐ２において、固定されていない又は他の引抜植毛領域Ａよりも固定される密度が低い。そのため、かつら１０の見た目をより自然なものにすることができる。
【符号の説明】
【００６３】
１０      かつら
１１      第１のベース
１２      第２のベース
１３      毛髪
１３ａ      結び目
１４      縫い付け糸
１５      固定用毛髪
１６      接着部
１７      溶着部
１８      周縁固定部
１００      ホチキス型超音波溶着機
２００      コテ型超音波溶着機
【図１】
2014122440.tif 000003
【図２】
2014122440.tif 000004
【図３】
2014122440.tif 000005
【図４Ａ】
2014122440.tif 000006
【図４Ｂ】
2014122440.tif 000007
【図４Ｃ】
2014122440.tif 000008
【図５】
2014122440.tif 000009
【図６】
2014122440.tif 000010
【図７】
2014122440.tif 000011
【図８】
2014122440.tif 000012
【図９】
2014122440.tif 000013
【図１０】
2014122440.tif 000014